(57)【要約】【課題】エスカレ−タ踏段のクリート溝内の塵埃や油等を、簡易な装置により効果的に吸引清掃するエスカレータ踏段用清掃装置を提供する。【解決手段】クリート溝９の内部を吸引清掃する掃除機ノズル用接続口７を有し、クリート溝９に向けられる側に開口部８を有してエスカレータ踏段の一部の領域を覆う箱状の筐体２と、筐体２上部に設置され、洗浄液９を筐体２内部に滴下する洗浄液収容部３と、滴下された洗浄液９を受け取り、踏段のクリート溝９の内部を洗浄する回転ブラシ４と、弾性体から成り、踏段のクリート溝９と嵌合する凹凸部によりクリート溝９の内部を拭取り、回転ブラシ４の軸方向に沿ってその前後にそれぞれ並置される第１棒状拭取具５及び第２棒状拭取具６と、を備え、回転ブラシ４と、第１棒状拭取具５と、第２棒状拭取具６とにより踏段のクリート溝９の内部を清掃する。【選択図】図２
2008285292.tif 000002
【特許請求の範囲】
【請求項１】
エスカレータ踏段のクリート溝の内部を清掃するエスカレータ踏段用清掃装置であって、
クリート溝の内部を吸引清掃する掃除機のノズル用の接続口を有し、クリート溝に向けられる側に開口部を有してエスカレータ踏段の一部の領域を覆う箱状の筐体と、
筐体上部に設置され、洗浄液を筐体内部に滴下する洗浄液収容部と、
滴下された洗浄液を受け取り、踏段のクリート溝の内部を洗浄する回転ブラシと、
弾性体から成り、踏段のクリート溝と嵌合する凹凸部によりクリート溝の内部を拭取り、回転ブラシの軸方向に沿ってその前後にそれぞれ並置される第１棒状拭取具及び第２棒状拭取具と、を備え、
回転ブラシと、第１棒状拭取具と、第２棒状拭取具とにより踏段のクリート溝の内部を清掃することを特徴とするエスカレータ踏段用清掃装置。
【請求項２】
請求項１に記載のエスカレータ踏段用清掃装置において、第１棒状拭取具及び第２棒状拭取具は、それぞれ筐体から突出して取付けられ、筐体の進行方向の前面及び後面は、第１棒状拭取具及び第２棒状拭取具によりクリート溝の内部を含めて閉鎖されることを特徴とするエスカレータ踏段用清掃装置。
【請求項３】
請求項１又は２に記載のエスカレータ踏段用清掃装置において、第１棒状拭取具及び第２棒状拭取具は、それぞれ開口部側から筐体に交換可能に接続されることを特徴とするエスカレータ踏段用清掃装置。
【請求項４】
請求項１乃至３のいずれか１に記載のエスカレータ踏段用清掃装置において、第１棒状拭取具及び第２棒状拭取具は、エスカレータ踏段の形状に合わせて回転可能であることを特徴とするエスカレータ踏段用清掃装置。
【請求項５】
請求項４に記載のエスカレータ踏段用清掃装置において、第１棒状拭取具及び第２棒状拭取具は、その軸に沿って筒状の凹部を有し、対向する筐体に設けられた筒状の凸部に嵌合することで、筐体に対して回転可能に接続されることを特徴とするエスカレータ踏段用清掃装置。
【請求項６】
請求項４に記載のエスカレータ踏段用清掃装置において、第１棒状拭取具及び第２棒状拭取具は、その軸に沿って筒状の凸部を有し、対向する筐体に設けられた筒状の凹部に嵌合することで、筐体に対して回転可能に接続されることを特徴とするエスカレータ踏段用清掃装置。
【請求項７】
請求項１乃至６のいずれか１に記載のエスカレータ踏段用清掃装置において、回転ブラシは、開口部側から筐体に交換可能に取り付けられることを特徴とするエスカレータ踏段用清掃装置。
【請求項８】
請求項７に記載のエスカレータ踏段用清掃装置において、回転ブラシは、筐体に設けられた取付孔を貫通する棒状の軸部を有し、回転ブラシは、取付孔周囲の筐体の板のばね作用により筐体への取付け及び筐体からの取り外しが可能であることを特徴とするエスカレータ踏段用清掃装置。
【請求項９】
請求項１乃至８のいずれか１に記載のエスカレータ踏段用清掃装置において、回転ブラシの両端部に突出した軸部のいずれかがフレキシブルシャフトを介して電動ドリルに接続され、回転ブラシは、電動ドリルの動力により回転することを特徴とするエスカレータ踏段用清掃装置。
【請求項１０】
請求項１乃至９のいずれか１に記載のエスカレータ踏段用清掃装置において、エスカレータ踏段のライザー面の吸引清掃に用いられることを特徴とするエスカレータ踏段用清掃装置。
【発明の詳細な説明】
【技術分野】
【０００１】
本発明は、エスカレータ踏段用清掃装置に係り、特に、エスカレータ踏段のクリート溝の内部を清掃するエスカレータ踏段用清掃装置に関する。
【背景技術】
【０００２】
エスカレータの踏段は、乗客が立つ水平のステップ面と、ステップ面から下方に円弧を描きながら傾斜するライザー面とを有する。これらのステップ面及びライザー面には多数のクリート溝が設けられる。このクリート溝の内部は、塵埃や油が付着して汚れるため清掃装置により清掃されるのが一般的である。この清掃装置には、洗浄液を使用しない乾式の清掃装置、及び洗浄液を使用する湿式の清掃装置がある。
【０００３】
特許文献１には、エスカレータのステップ面とライザー面の清掃に適用されるエスカレータ用掃除機の吸引ヘッドが開示されている。ここでは、吸引ヘッドは、略矩形の天板と側壁とを具備するケース、及び掃除機本体に接続される継ぎ手管を具備する。ケースは、前後の側壁に沿い、各クリート溝に進入するように列をなして植設された第１及び第２のブラシ列を有する。この清掃装置は、洗浄液を使用しないことから乾式の清掃装置である。
【０００４】
特許文献２には、エスカレータの踏段面のクリート溝をブラッシングするエスカレータ踏段用清掃装置が開示されている。ここでは、踏段面の一部領域を覆うカバーと、踏段面に接触するようカバー内に配設されて回転駆動される回転ブラシと、回転ブラシによって踏段面から巻き上げられたり剥がされたりした塵埃をカバー内のエアと共に装置本体内の集塵部へ吸引するエア吸引システムを備える。また、回転ブラシは、回転軸と、回転軸に配設された複数の輪状ブラシ毛群と、少なくとも１つのクリート溝に沿って移動可能なガイド部材を備え、各輪状ブラシ群は、ガイド部材とクリート溝との嵌合によって定まる他のクリート溝に嵌合する位置に配設される。この清掃装置は、洗浄液を使用しないことから乾式の清掃装置である。
【０００５】
特許文献３には、乗客コンベアの踏段面とライザー面とを洗浄可能な乗客コンベア踏段洗浄装置が開示されている。この清掃装置は、洗浄液を使用することから湿式の清掃装置である。ここでは、回転ブラシの回転と洗浄噴出ノズルから転出する洗浄液の相乗作用による洗浄を行う。また、駆動体を駆動し回転ブラシを回転させ、ポンプ用駆動体を駆動してポンプを動作させることで、タンク内に貯えられた洗浄液をノズルから噴出させる。また、羽体を駆動体で駆動するとタンク内の圧力が吸込み口の内部より下がり、使用され汚濁した洗浄液は、吸込み口からタンクに回収される。さらに、洗浄面外への洗浄液の流出を防ぐため、弾性体で構成され当接する洗浄面と同形状に形成されたシールを有する。
【０００６】
【特許文献１】実用新案登録第３１１６０３３号公報
【特許文献２】特開２００２−４６９７１号公報
【特許文献３】特開平９−２５９７８６号公報
【発明の開示】
【発明が解決しようとする課題】
【０００７】
特許文献１に開示された吸引ヘッドを用いたエスカレータ用掃除機は、洗浄液を用いない乾式の清掃装置である。このため、エスカレータ踏段のクリート内部に堆積した塵埃は吸引されるが油汚れを吸引することは難しい。その上、この油によりブラシが油まみれとなるため頻繁に交換しなければならない。また、この吸引ヘッドは、ブラシによりクリート溝を清掃する方式である。このブラシ同士の間には隙間が存在するため吸引効率が低く、クリート溝に沿って頻繁に吸引ヘッドを操作しなければならない。
【０００８】
特許文献２に開示されたエスカレータ踏段用清掃装置は、特許文献１の吸引ヘッドと同様に、洗浄液を用いない乾式の清掃装置である。このため、上記と同様な問題がある。
【０００９】
一方、特許文献３に開示された乗客コンベア踏段洗浄装置は、洗浄液を用いる湿式の清掃装置である。しかし、洗浄液を噴出させて汚濁した洗浄液をさらに回収するために複雑な機構を要する。また、ノズルから洗浄面に向かって洗浄液を噴出して洗浄効果を上げるには容量の大きなポンプを要する。従って、洗浄装置の操作性や運搬に問題が生じる。
【００１０】
本願の目的は、かかる課題を解決し、エスカレ−タ踏段のクリート溝内の塵埃や油等を簡易な装置により効果的に吸引清掃するエスカレータ踏段用清掃装置を提供することである。
【課題を解決するための手段】
【００１１】
上記目的を達成するため、本発明に係るエスカレータ踏段用清掃装置は、エスカレータ踏段のクリート溝の内部を清掃するエスカレータ踏段用清掃装置であって、クリート溝の内部を吸引清掃する掃除機のノズル用の接続口を有し、クリート溝に向けられる側に開口部を有してエスカレータ踏段の一部の領域を覆う箱状の筐体と、筐体上部に設置され、洗浄液を筐体内部に滴下する洗浄液収容部と、滴下された洗浄液を受け取り、踏段のクリート溝の内部を洗浄する回転ブラシと、弾性体から成り、踏段のクリート溝と嵌合する凹凸部によりクリート溝の内部を拭取り、回転ブラシの軸方向に沿ってその前後にそれぞれ並置される第１棒状拭取具及び第２棒状拭取具と、を備え、回転ブラシと、第１棒状拭取具と、第２棒状拭取具とにより踏段のクリート溝の内部を清掃することを特徴とする。
【００１２】
また、エスカレータ踏段用清掃装置は、第１棒状拭取具及び第２棒状拭取具が、それぞれ筐体から突出して取付けられ、筐体の進行方向の前面及び後面は、第１棒状拭取具及び第２棒状拭取具によりクリート溝の内部を含めて閉鎖されることが好ましい。
【００１３】
また、エスカレータ踏段用清掃装置は、第１棒状拭取具及び第２棒状拭取具が、それぞれ開口部側から筐体に交換可能に接続されることが好ましい。
【００１４】
また、エスカレータ踏段用清掃装置は、第１棒状拭取具及び第２棒状拭取具が、エスカレータ踏段の形状に合わせて回転可能であることが好ましい。
【００１５】
また、エスカレータ踏段用清掃装置は、第１棒状拭取具及び第２棒状拭取具が、その軸に沿って筒状の凹部を有し、対向する筐体に設けられた筒状の凸部に嵌合することで、筐体に対して回転可能に接続されることが好ましい。
【００１６】
また、エスカレータ踏段用清掃装置は、第１棒状拭取具及び第２棒状拭取具が、その軸に沿って筒状の凸部を有し、対向する筐体に設けられた筒状の凹部に嵌合することで、筐体に対して回転可能に接続されることが好ましい。
【００１７】
また、エスカレータ踏段用清掃装置は、回転ブラシが、開口部側から筐体に交換可能に取り付けられることが好ましい。
【００１８】
また、エスカレータ踏段用清掃装置は、回転ブラシが、筐体に設けられた取付孔を貫通する棒状の軸部を有し、回転ブラシは、取付孔周囲の筐体の板のばね作用により筐体への取付け及び筐体からの取り外しが可能であることが好ましい。
【００１９】
また、エスカレータ踏段用清掃装置は、回転ブラシの両端部に突出した軸部のいずれかがフレキシブルシャフトを介して電動ドリルに接続され、回転ブラシが、電動ドリルの動力により回転することが好ましい。
【００２０】
さらに、エスカレータ踏段用清掃装置は、エスカレータ踏段のライザー面の吸引清掃に用いられることが好ましい。
【発明の効果】
【００２１】
上記構成により、エスカレータ踏段用清掃装置は、滴下された洗浄液を受けて踏段のクリート溝の内部を洗浄する回転ブラシと、クリート溝の内部を拭取する第１棒状拭取具及び第２棒状拭取具とによりクリート溝の内部を吸引清掃する。すなわち、清掃装置の進行方向に向かって前面側の棒状拭取具は、回転ブラシによる洗浄の前に乾燥した塵埃を拭取り、回転ブラシは、洗浄液により洗浄を行い、さらに、清掃装置の進行方向に向かって後面側の棒状拭取具は、油や塵埃が混ざり合った洗浄液を拭取る。
【００２２】
また、２つの棒状拭取具を回転ブラシの軸方向に沿ってその前後にそれぞれ並置することにより、筐体の進行方向の前面及び後面からクリート溝の内部を含めて閉鎖することができる。このことで、エスカレータ踏段用清掃装置の吸引効率が向上し、また洗浄液等がエスカレータ内部へ落下することを防止できる。さらに、２つの棒状拭取具をそれぞれ洗浄面にあてがい、それらを押し付けながら清掃を行うことから、安定したエスカレータ踏段面の清掃ができる。
【００２３】
以上のように、本発明に係るエスカレータ踏段用清掃装置によれば、エスカレ−タ踏段のクリート溝内の塵埃や油等を簡易な装置により効果的に吸引清掃することが可能となる。
【発明を実施するための最良の形態】
【００２４】
以下に、図面を用いて本発明に係るエスカレータ踏段用清掃装置の概略構成につき、詳細に説明する。
【００２５】
図１に、エスカレータ踏段面を清掃しているエスカレータ踏段用清掃装置を斜視図により示す。エスカレータ踏段３０の表面は、ステップ面３１及びライザー面３２により構成される。本実施形態では、そのうちのライザー面３２をエスカレータ踏段用清掃装置１により清掃する場合について説明する。エスカレータ踏段３０のステップ面３１及びライザー面３２にはクリート溝９が図１に示す方向に設けられている。本エスカレータ踏段用清掃装置１は、図１中のＸで示す、ライザー面３２のクリート溝９の方向に沿って上下方向に移動しながらエスカレータ踏段３０を清掃する。また、エスカレータ踏段３０のライザー面３２は円弧を描くような曲面をしている。本エスカレータ踏段用清掃装置１は、ライザー面３２のこの曲面に合わせてその向きを変化させながら移動する。
【００２６】
図２に、エスカレータ踏段用清掃装置１の１つの実施形態の概略構成を断面で示す。また、図３に図２のＡ−Ａ断面を示す。さらに、図４に図３のＢ‐Ｂ断面、及びＣ−Ｃ断面を示す。図４（ａ）は、クリート溝９内の第１棒状拭取具５、又は第２棒状拭取具６を示し、図４（ｂ）は、クリート溝９内の回転ブラシ４を示す。エスカレータ踏段用清掃装置１は、筐体２、洗浄液収容部３、回転ブラシ４、第１棒状拭取具５、及び第２棒状拭取具６から構成される。図２では、エスカレータ踏段用清掃装置１の回転ブラシ４、第１棒状拭取具５、及び第２棒状拭取具６が、ライザー面３２のクリート溝９内部に挿入された状態を図示する。また、図２ではライザー面３２の曲面については簡略化して平板面として図示する。
【００２７】
筐体２は、クリート溝９に向けられる側に開口部８を有し、その内部に回転ブラシ４を収納する箱状の形状であり、ライザー面３２の一部の領域を覆うように設置される。また、図２に示すように、その上部に洗浄液収容部３が設けられる。また、筐体２の洗浄液収容部３に対向する部分には、洗浄液の導入口１０が設けられ、この導入口１０から回転ブラシ４に向かって洗浄液が滴下される。さらに、筐体２は、掃除機（図示せず）ノズル用接続口７を有し、掃除機によりクリート溝９の内部の塵埃や油などが吸引清掃される。この筐体２の形状は、回転ブラシ４を収納し、第１棒状拭取具５、及び第２棒状拭取具６が取り付く形状であれば図１、２に示すような略直方体の形状に限らず略球体、略楕円体などであっても良い。
【００２８】
洗浄液収容部３には、エスカレータ踏段３０の洗浄に用いられる洗浄液が収納される。本実施形態では、この洗浄液収容部３には、上方に開閉する蓋１５が取り付けられ、エスカレータ踏段３０の清掃前或いは清掃時には、この蓋１５から洗浄液が注入される。この洗浄液収容部３には、筐体２と対向する側に洗浄液の滴下口１４が設けられる。この滴下口１４と筐体２の導入口１０とは、相互の孔位置が合わされて洗浄液を流通させる。本実施形態では、この滴下口１４と導入口１０との孔径は略同径とし、その孔径は、滴下する洗浄液の好適な滴下量が保たれるように決定される。また、洗浄液収容部３を筐体２に対してスライド可能なように取付け、導入口１０に対して滴下口１４をスライドさせることで滴下する洗浄液の量を調節しても良い。
【００２９】
回転ブラシ４は、図３に示すように、回転ブラシ軸１１に円盤状の回転ブラシ蓋１６を２枚取り付け、その２枚の回転ブラシ蓋１６の間に板状の筒材１７を円筒状に巻き、さらに、その筒材１７にブラシ束１３を植設したものである。このブラシ束１３は、多数のブラシが束になったものである。そして、ブラシ束１３は、図３に示すようにクリート溝９の位置に合わせて間隔を置き、図２に示すように、筒体１７の外周に沿って略均等な角度で植設される。また、このブラシ束１３の長さは、図４（ｂ）に示すように、ブラシ束１３の先端がクリート溝９の底面に十分に達するように設定される。各エスカレータ踏段３０の清掃の際には、この回転ブラシ４は回転ブラシ軸１１を中心に回転する。この構成により、ブラシ束１３は、洗浄液収容部３から滴下された洗浄液を受け取り、エスカレータ踏段３０のクリート溝９の内部を洗浄する。
【００３０】
図５に、回転ブラシ４を筐体２へ接続する方法を示す。図５（ａ）は、筐体２の側面に接続される前の回転ブラシ４を示し、図５（ｂ）は、筐体２の側面に接続された後の回転ブラシ４を示す。回転ブラシ４の両端部には筒材１７に取り付けられた回転ブラシ蓋１６から回転ブラシ軸１１が突出している。一方、筐体２の側面には、溝２３、菱形孔２２及び板バネ部２１からなる筐体側接続部２０が設けられている。回転ブラシ４の回転ブラシ軸１１を、溝２３を経由して菱形孔２２に差し込むことで回転ブラシ４は筐体２に接続される。図４（ｂ）に示すように、円形の断面を有する回転ブラシ軸１１は、菱形の形状である菱形孔２２内に納まる。このとき、回転ブラシ軸１１は、菱形孔２２の縁に対して点接触するため、その回転を拘束されない。ここで、板バネ部２１とは、溝２３と菱形孔２２との境目に生じる筐体２の測板が狭まった部分である。この板バネ部２１に発生する開口の幅寸法を、回転ブラシ軸１１の直径よりもやや小さくしておく。これにより、回転ブラシ軸１１は、回転する際に菱形孔２２内から脱落しない。また、この板バネ部２１は、回転ブラシ軸１１を菱形孔２２に挿入する際に、側板の面外方向に倒れて回転ブラシ軸１１を通過させるバネの役割を果たす。
【００３１】
このように、回転ブラシ４は、筐体２に対してワンタッチで着脱可能なように接続される。従って、回転ブラシ４は、エスカレータ踏段３０の清掃によりブラシが磨耗などにより寿命となったときには、簡易に交換することができる。また、エスカレータ踏段３０の清掃の際に汚れた回転ブラシ４を適宜新しい回転ブラシ４と交換し、汚れの再付着を防止することができる。
【００３２】
図６に、回転ブラシ４の回転手段を示す。回転ブラシ４の両端のいずれかの回転ブラシ軸１１には、フレキシブルシャフト２６を介して既製品である電動ドリル２７が接続される。そして、この電動ドリル２７の動力により回転ブラシ４を回転させる。この電動ドリル２７は、ワンタッチでエスカレータ踏段用清掃装置１に着脱可能である。また、作業性の上からコードレスの電動ドリル２７が好ましい。このように、エスカレータ踏段用清掃装置１の回転ブラシ４の回転手段に既製品である電動ドリル２７をワンタッチでエスカレータ踏段用清掃装置１に着脱可能とすることで、エスカレータ踏段用清掃装置１の重量が軽減される。また、エスカレータ踏段用清掃装置１と電動ドリル２７との接続にフレキシブルシャフト２６を用いることで、任意の角度から電動ドリル２７を動作させることができ良好な作業性が得られる。さらに、回転ブラシ４の両端の回転ブラシ軸１１のうち、いずれかの回転ブラシ軸１１を選択することができ、ライザー面３２の両端部の清掃の際に作業性の良い取付け位置に切り換えることができる。
【００３３】
図７に、棒状拭取具５、６を示す。棒状拭取具５、６は、略長方形の断面を有する棒状の拭取具本体１９、拭取具本体１９のクリート溝９側に設けられる凹凸部１８、及び拭取具本体１９の筐体２側に設けられる拭取具接続部１２から構成される。図７（ａ）は、筒状の凹部となった拭取具接続部１２ａの場合であり、図７（ｂ）は、筒状の凸部となった拭取具接続部１２ｂの場合である。この棒状拭取具５、６は、ライザー面３２の凹凸形状に嵌合される形状である。図４（ａ）に示すように、棒状拭取具５、６は、この凹凸部１８によりエレベータ踏段２０のクリート溝９と嵌合し、クリート溝９内部の塵埃や油を拭取る。これらの棒状拭取具５、６は、回転ブラシ４の回転ブラシ軸１１の方向に沿ってその前後にそれぞれ並置される。この第１棒状拭取具５及び第２棒状拭取具６は、図２及び図３の矢印Ｙの方向に示すように、エスカレータ踏段用清掃装置１の進行方向の前面に設置されるものを第１棒状拭取具５とし、エスカレータ踏段用清掃装置１の進行方向の後面に設置されるものを第２棒状拭取具６とする。また、本実施形態では棒状拭取具５、６の材料はゴムであるが、クリート溝９との嵌合に適した材料であれば、例えば、樹脂や清掃用スポンジであっても良い。
【００３４】
この構成により、エレベータ踏段２０は、そのクリート溝９と略直交する一定の幅に亘り清掃される。まず、第１棒状拭取具５により、回転ブラシ４による洗浄の前にクリート溝９内部に堆積した乾燥した塵埃が拭取られる。次に、洗浄液のついた回転ブラシ４によりクリート溝９内部の塵埃や油が洗浄され、さらに、第２棒状拭取具６により、油や塵埃が混ざり合った洗浄液が拭取られる。このように、第１棒状拭取具５、回転ブラシ４、及び第２棒状拭取具６は、それぞれ役割を分担しながらエレベータ踏段２０のクリート溝９内部を清掃する。また、第１棒状拭取具５により、回転ブラシ４による洗浄前に比較的大きな塵埃を除去することができ、回転ブラシ４による洗浄効率を高めることができる。さらに、第２棒状拭取具６により、クリート溝９内の洗浄に使用された洗浄液の液垂れを防止し、洗浄液等がエスカレータ内部へ落下することを防止できる。
【００３５】
図８に、第１棒状拭取具５及び第２棒状拭取具６を筐体２へ取付ける方法を示す。図８（ａ）は，図７（ａ）の棒状拭取具５，６の場合の取付け方法であり、図８（ｂ）は，図７（ｂ）の棒状拭取具５，６の場合の取付け方法である。何れの場合にも、断面が略円形をした凸部と、それを包む凹部とが嵌合することで第１棒状拭取具５及び第２棒状拭取具６が筐体２に取り付けられる。そして、棒状拭取具５、６は、横方向へスライドさせるか、押し込んだり剥がしたりすることで筐体２への取り付けや取り外しが可能となる。
【００３６】
このように、第１棒状拭取具５及び第２棒状拭取具６は、筐体２に対してワンタッチで着脱可能なように取り付けられる。従って、第１棒状拭取具５及び第２棒状拭取具６は、エスカレータ踏段３０の清掃により表面が磨耗などにより寿命となったときには、簡易に交換することができる。また、エスカレータ踏段３０の清掃の際に汚れた棒状拭取具５、６を適宜新しい棒状拭取具５、６と交換することができる。
【００３７】
また、この取り付け方法により、第１棒状拭取具５及び第２棒状拭取具６は、図８中の矢印で示すように、筐体２に対して回転可能となる。これにより、第１棒状拭取具５及び第２棒状拭取具６は、円弧を描くような曲面をしているライザー面３２にそれぞれ追従して接することが可能となる。
【００３８】
また、第１棒状拭取具５及び第２棒状拭取具６は、図２に示すように、それぞれ筐体２から突出して取り付けられ、そのままクリート溝９の内部に嵌合する。これにより、筐体２の進行方向の前面及び後面は、第１棒状拭取具５及び第２棒状拭取具６によりクリート溝９の内部を含めて閉鎖される。つまり、エスカレータ踏段用清掃装置１の進行方向の前面と後面とはほとんど密封されたような状態になり、塵埃などを吸引する掃除機の吸引効率を高めることが可能となる。さらに、エスカレータ踏段用清掃装置１は、第１棒状拭取具５及び第２棒状拭取具６により２点で支持されてライザー面３２に接する。これにより、エスカレータ踏段用清掃装置１は、安定した支持状態でライザー面３２の清掃を行うことができる。さらに、この第１棒状拭取具５及び第２棒状拭取具６をライザー面３２に押さえつけて清掃することで、スカレータ踏段用清掃装置１の進行方向の前面と後面との密封の度合いが大きくなり、掃除機の吸引効率を高めながら安定した支持状態で清掃を行うことができる。
【図面の簡単な説明】
【００３９】
【図１】エスカレータ踏段面を清掃しているエスカレータ踏段用清掃装置の斜視図である。
【図２】本発明に係るエスカレータ踏段用清掃装置の１つの実施形態の概略構成を示す断面図である。
【図３】図２のＡ−Ａ断面図である。
【図４】図３のＢ‐Ｂ断面図及びＣ−Ｃ断面図である。
【図５】回転ブラシを筐体へ接続する方法を示す説明図である。
【図６】回転ブラシの回転手段を示す説明図である。
【図７】第１棒状拭取具及び第２棒状拭取具を示す斜視図である。
【図８】第１棒状拭取具及び第２棒状拭取具を筐体へ取付ける方法を示す説明図である。
【符号の説明】
【００４０】
１  エスカレータ踏段用清掃装置、２  筐体、３  洗浄液収容部、４  回転ブラシ、５  第１棒状拭取具、６  第２棒状拭取具、７  掃除機ノズル用接続口、８  開口部、９  クリート溝、１０  導入口、１１  回転ブラシ軸、１２，１２ａ，１２ｂ  拭取具接続部、１３  ブラシ束、１４  滴下口、１５  蓋、１６  回転ブラシ蓋、１７  筒材、１８  凹凸部、１９  拭取具本体、２０  筐体側接続部、２１  板バネ部、２２  菱形孔、２３  溝、２４  拭取具側連結部、２５  筐体側連結部、２６  フレキシブルシャフト、２７  電動ドリル、３０  エスカレータ踏段、３１  ステップ面、３２  ライザー面。
【図１】
2008285292.tif 000003
【図２】
2008285292.tif 000004
【図３】
2008285292.tif 000005
【図４】
2008285292.tif 000006
【図５】
2008285292.tif 000007
【図６】
2008285292.tif 000008
【図７】
2008285292.tif 000009
【図８】
2008285292.tif 000010